【手続補正書】
【提出日】平成15年12月3日(2003.12.3)
【手続補正１】
【補正対象書類名】明細書
【補正対象項目名】発明の名称
【補正方法】変更
【補正の内容】
【発明の名称】定着装置


【手続補正２】
【補正対象書類名】明細書
【補正対象項目名】特許請求の範囲
【補正方法】変更
【補正の内容】
【特許請求の範囲】
【請求項１】
未定着像を担持したシート状の記録媒体を互いに圧接された定着体と加圧体との間に形成されたニップ部に通紙しながら加熱手段の加熱により上記記録媒体を加熱するようになっている定着装置であって、加熱手段の温度を検知し得られた検知温度に応じたアナログ情報を出力する温度検知体と、上記アナログ情報に応じて商用電源から加熱手段への通電を制御する通電制御手段と、上記温度検知体の検知温度に基づいて加熱手段が初期断線状態にあるか否かを判断する判断手段とを有することを特徴とする定着装置。
【請求項２】
上記判断手段は、所定の期間での目標温度と温度検知体の検知温度との差分を積算し、得られた積算値と予め定められた基準値とを比較することにより加熱手段が初期断線状態にあるか否かを判断することを特徴とする請求項１に記載の定着装置。
【請求項３】
上記判断手段は、所定の期間での温度検知体の検知温度と同期間内での温度検知体の最大検知温度との差分を積算し、得られた積算値と予め定められた基準値との比較結果により加熱手段が初期断線状態にあるか否かを判断することを特徴とする請求項１に記載の定着装置。
【請求項４】
上記判断手段は、加熱手段が複数の期間において各期間ごとに目標温度が設定されており、温度検知体の検知と温度各期間ごとの目標温度に応じて加熱手段が初期断線状態にあるか否かを判断することを特徴とする請求項１に記載の定着装置。
【請求項５】
加熱手段は、セラミックスを主成分とする薄板状の基板の一方の面に商用電源からの通電により発熱する発熱抵抗体が設けられていると共に他方の面に温度検知体が当接又は近接して配置されているセラミックヒータであり、定着体は、未定着像を担持した記録媒体を介して上記一方の面に圧接される無端帯状体であることとする請求項１乃至請求項４のいずれか一つに記載の定着装置。
【手続補正３】
【補正対象書類名】明細書
【補正対象項目名】０００１
【補正方法】変更
【補正の内容】
【０００１】
【発明の属する技術分野】
本発明は、電子写真プロセスを用いたプリンタ、ファックス、複写機などの画像形成装置の熱定着器における初期断線状態を検知する手段に関する。


【手続補正４】
【補正対象書類名】明細書
【補正対象項目名】０００８
【補正方法】変更
【補正の内容】
【０００８】
本発明の目的は、加熱手段の初期断線状態を精度良く検知することにより、初期断線状態にあるのに拘らず温調制御に移行することを防止し、もって定着ヒータに与える熱ストレスを防止できるようにした定着装置を提供することにある。


【手続補正５】
【補正対象書類名】明細書
【補正対象項目名】０００９
【補正方法】変更
【補正の内容】
【０００９】
【課題を解決するための手段】
本出願に依れば、上記目的は、未定着像を担持したシート状の記録媒体を互いに圧接された定着体と加圧体との間に形成されたニップ部に通紙しながら加熱手段の加熱により上記記録媒体を加熱するようになっている定着装置であって、加熱手段の温度を検知し得られた検知温度に応じたアナログ情報を出力する温度検知体と、上記アナログ情報に応じて商用電源から加熱手段への通電を制御する通電制御手段と、上記温度検知体の検知温度に基づいて加熱手段が初期断線状態にあるか否かを判断する判断手段とを有するという第一の発明により達成される。


【手続補正６】
【補正対象書類名】明細書
【補正対象項目名】００１０
【補正方法】変更
【補正の内容】
【００１０】
又、本出願に依れば、上記目的は、本出願に係る第一の発明において、上記判断手段は、所定の期間での目標温度と温度検知体の検知温度との差分を積算し、得られた積算値と予め定められた基準値とを比較することにより加熱手段が初期断線状態にあるか否かを判断するという第二の発明によっても達成される。


【手続補正７】
【補正対象書類名】明細書
【補正対象項目名】００１１
【補正方法】変更
【補正の内容】
【００１１】
更に、本出願に依れば、上記目的は、本出願に係る第一の発明において、上記判断手段は、所定の期間での温度検知体の検知温度と同期間内での温度検知体の最大検知温度との差分を積算し、得られた積算値と予め定められた基準値との比較結果により加熱手段が初期断線状態にあるか否かを判断するという第三の発明によっても達成される。


【手続補正８】
【補正対象書類名】明細書
【補正対象項目名】００１２
【補正方法】変更
【補正の内容】
【００１２】
又、本出願に依れば、上記目的は、本出願に係る第一の発明において、上記判断手段は、加熱手段が複数の期間において各期間ごとに目標温度が設定されており、温度検知体の検知と温度各期間ごとの目標温度に応じて加熱手段が初期断線状態にあるか否かを判断するという第四の発明によっても達成される。


【手続補正９】
【補正対象書類名】明細書
【補正対象項目名】００１３
【補正方法】変更
【補正の内容】
【００１３】
更に、本出願に依れば、上記目的は、本出願に係る第一ないし第四の発明において、加熱手段は、セラミックスを主成分とする薄板状の基板の一方の面に商用電源からの通電により発熱する発熱抵抗体が設けられていると共に他方の面に温度検知体が当接又は近接して配置されているセラミックヒータであり、定着体は、未定着像を担持した記録媒体を介して上記一方の面に圧接される無端帯状体であるという第五の発明によっても達成される。


【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
即ち、本出願に係る第一の発明にあっては、温度検知体の検知温度にもとづいて、加熱手段が初期断線状態にあるか否か判断手段により判断される。
本出願に係る第二の発明にあっては、所定の期間での目標温度と温度検知体の検知温度との差分が積算され、得られた積算値と加熱手段が初期断線状態にあるか否かの判断基準として予め定められた基準値との比較結果により加熱手段が初期断線状態にあるか否かが検知される。


【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
更に、本出願に係る第三の発明にあっては、加熱手段が初期断線状態にあるか否かの判断のための所定期間での温度検知体の検知温度と同周期内での温度検知体の最大検知温度との差分が積算され、得られた積算値と加熱手段が初期断線状態にあるか否かの判断基準として予め定められた基準値との比較結果により加熱手段が初期断線状態にあるか否かが検知される。


【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
更に、本出願に係る第四の発明にあっては、加熱手段が初期断線状態にあるか否かの判断のために、複数の期間において各期間ごとに目標温度が設定されており、温度検知体の検知と各期間ごとの目標温度に応じて加熱手段が初期断線状態にあるか否かが判定される。


【手続補正２２】
【補正対象書類名】明細書
【補正対象項目名】００２６
【補正方法】変更
【補正の内容】
【００２６】
又、本出願に係る第五の発明にあっては、互いに圧接された無端帯状の定着体と加圧体との間に形成されたニップ部をセラミックヒータにより加熱する。


【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００７１
【補正方法】変更
【補正の内容】
【００７１】
【発明の効果】
以上にて説明してきたように、本出願に係る第一の発明に依れば、温度検知体の検知温度にもとづいて、加熱手段が初期断線状態にあるか否か判断手段により判断されるので、検知を精度良く行うことができ、以て、加熱手段に熱ストレスが与えられるのを確実に防止することができる。


【手続補正３０】
【補正対象書類名】明細書
【補正対象項目名】００７２
【補正方法】変更
【補正の内容】
【００７２】
又、本出願に係る第二の発明に依れば、所定の期間での目標温度と温度検知体の検知温度との差分が積算され、得られた積算値と加熱手段が初期断線状態にあるか否かの判断基準として予め定められた基準値との比較結果により加熱手段が初期断線状態にあるか否かの検知を精度良く行うことができ、以て、加熱手段に熱ストレスが与えられるのを確実に防止することができる。
【手続補正３１】
【補正対象書類名】明細書
【補正対象項目名】００７３
【補正方法】変更
【補正の内容】
【００７３】
更に、本出願に係る第三の発明に依れば、加熱手段が初期断線状態にあるか否かの判断のための所定期間内での温度検知体の検知温度と同周期内での温度検知体の最大検知温度との差分が積算され、得られた積算値と加熱手段が初期断線状態にあるか否かの判断基準として予め定められた基準値との比較結果により加熱手段が初期断線状態にあるか否かが検知されるので、加熱手段が初期断線状態にあると誤検知することなく加熱手段が初期断線状態にあるか否かの検知を精度良く行うことができ、以て、加熱手段に熱ストレスが与えられるのを確実に防止することができる。


【手続補正３２】
【補正対象書類名】明細書
【補正対象項目名】００７４
【補正方法】削除
【補正の内容】
【手続補正３３】
【補正対象書類名】明細書
【補正対象項目名】００７５
【補正方法】変更
【補正の内容】
【００７５】
更に、本出願に係る第四の発明に依れば、加熱手段が初期断線状態にあるか否かの判断のために、複数の期間において各期間ごとに目標温度が設定されており、温度検知体の検知と各期間ごとの目標温度に応じて加熱手段が初期断線状態にあるか否かが判定されるので、加熱手段が初期断線状態にあると誤検知することなく加熱手段が初期断線状態にあるか否かの検知を精度良く行うことができ、以て、加熱手段に熱ストレスが与えられるのを確実に防止することができる。


【手続補正３４】
【補正対象書類名】明細書
【補正対象項目名】００７６
【補正方法】変更
【補正の内容】
【００７６】
又、本出願に係る第五の発明に依れば、互いに圧接された無端帯状の定着体と加圧体との間に形成されたニップ部をセラミックヒータにより加熱するので、セラミックヒータの低熱容量化等を図ることにより、ニップ部等の目標温度への昇温及び維持を効率良く行うことができる。


【手続補正３５】
【補正対象書類名】明細書
【補正対象項目名】００７７
【補正方法】削除
【補正の内容】
【手続補正３６】
【補正対象書類名】明細書
【補正対象項目名】００７８
【補正方法】削除
【補正の内容】
【手続補正３７】
【補正対象書類名】明細書
【補正対象項目名】００７９
【補正方法】削除
【補正の内容】
【手続補正３８】
【補正対象書類名】明細書
【補正対象項目名】００８０
【補正方法】削除
【補正の内容】
【手続補正３９】
【補正対象書類名】明細書
【補正対象項目名】００８１
【補正方法】削除
【補正の内容】
【手続補正４０】
【補正対象書類名】明細書
【補正対象項目名】００８２
【補正方法】削除
【補正の内容】